(57)【特許請求の範囲】
【請求項１】
複数の異なる病院の病院情報システムと、ネットワークを介して通信可能に構成された医用情報サーバであって、
前記病院情報システムにある病院情報データを取得するデータ取得部と、
前記病院情報システムから受信した前記病院情報データを、サーバ用のデータ形式に変換する変換部と、
変換した前記病院情報データを記憶するデータベース部と、
複数の異なる病院情報システムで使用されている画面レイアウト情報を記憶するレイアウト情報記憶部と、
第１の病院情報システムに対して、前記第１の病院情報システムに係る前記病院情報データを、１又は複数の第２の病院情報システムに係る複数の画面レイアウト情報を用いてそれぞれ配置した複数の参照画面を提供し、前記複数の参照画面から選択された参照画面のレイアウト情報に基づいて、前記第１の病院情報システムにおける表示レイアウトを変更する情報提供部と、
を備えたことを特徴とする医用情報サーバ。
【請求項２】
前記データベース部は、前記病院の施設名、前記病院における診療科名、病院内に設置されたシステム名および前記システムを使用するユーザ名のすくなくともいずれかを含む前記病院情報データを記憶し、
前記レイアウト情報記憶部は、前記画面レイアウト情報を前記病院の施設名、前記病院における診療科名、前記病院内に設置されたシステム名および前記システムを使用するユーザ名のうちすくなくともいずれかで分類して記憶し、
前記情報提供部は、前記病院の施設名、前記病院における診療科名、前記病院内に設置されたシステム名および前記システムを使用するユーザ名のうちすくなくともいずれかに基づいて前記参照画面を提供すること、
を特徴とする請求項１に記載の医用情報サーバ。
【請求項３】
前記画面レイアウト情報は、前記病院情報システムで使用されている参照画面を構成する情報の種類および前記病院情報システムで使用されている参照画面を構成する情報の配置を規定する情報であること、
を特徴とする請求項２に記載の医用情報サーバ。
【請求項４】
前記病院情報システムで使用されている前記参照画面を構成する情報の種類には、入力欄、表示欄、画像および定型文が含まれること、
を特徴とする請求項３に記載の医用情報サーバ。
【請求項５】
前記情報提供部は、前記参照画面のうち選択された参照画面の画面レイアウト情報に基づいて、前記病院情報システムに表示する参照画面を生成すること、
を特徴とする請求項１乃至４のいずれかに記載の医用情報サーバ。
【請求項６】
前記複数の異なる病院の病院情報システムのうちいずれかのシステムにおいて前記参照画面の画面レイアウトを変更する際に、変更対象の病院情報システムの参照画面を構成する画面レイアウト情報に必須情報が含まれるか否かを判定する判定部と、
前記判定部の結果に応じてメッセージを生成するメッセージ生成部と、
をさらに備え、
前記レイアウト情報記憶部は、前記病院情報データまたは前記画面レイアウト情報ごとに前記参照画面を構成する情報が前記必須情報か否かの情報を含み、
前記判定部は変更後の参照画面に前記必須情報が含まれているかを判定すること、
を特徴とする請求項１乃至５のいずれか１項に記載の医用情報サーバ。
【請求項７】
前記参照画面を変更する際に選択された参照画面と、前記病院情報システムにおける変更前の参照画面との差を抽出する差分抽出部と、
前記差分抽出部で抽出された差に応じてメッセージを生成するメッセージ生成部と、
をさらに備えたこと、
を特徴とする請求項１に記載の医用情報サーバ。
【請求項８】
複数の異なる病院の病院情報システムと、ネットワークを介して通信可能に構成された医用情報サーバであって、
前記病院情報システムにある病院情報データを取得するデータ取得部と、
前記病院情報システムから受信した前記病院情報データを、サーバ用のデータ形式に変換する変換部と、
変換した前記病院情報データを記憶するデータベース部と、
複数の異なる病院情報システムで使用されている画面レイアウト情報を記憶するレイアウト情報記憶部と、
前記病院情報システムに対して、前記データベース部にある前記病院情報データを、他の病院の画面レイアウト情報を用いて配置した参照画面を提供する情報提供部と、
前記参照画面を変更する際に選択された参照画面と、前記病院情報システムにおける変更前の参照画面との差を抽出する差分抽出部と、
前記差分抽出部で抽出された差に応じてメッセージを生成するメッセージ生成部と、
前記差分抽出部で抽出された差に基づいて推奨参照画面を生成する推奨参照画面提示部と、
を備えたことを特徴とする医用情報サーバ。
【請求項９】
前記参照画面を変更する際に選択された参照画面に、必須情報を加えた推奨参照画面を生成し、提示する推奨参照画面提示部をさらに備えたこと、
を特徴とする請求項１に記載の医用情報サーバ。
【請求項１０】
ネットワークを介して通信可能に構成された複数の異なる病院の病院情報システムであって、
前記病院情報システムにある病院情報データを取得するデータ取得部と、
前記病院情報システムから受信した前記病院情報データを、サーバ用のデータ形式に変換する変換部と、
変換した前記病院情報データを記憶するデータベース部と、
複数の異なる病院情報システムで使用されている画面レイアウト情報を記憶するレイアウト情報記憶部と、
第１の病院情報システムに対して、前記第１の病院情報システムに係る前記病院情報データを、１又は複数の第２の病院情報システムに係る複数の画面レイアウト情報を用いてそれぞれ配置した複数の参照画面を提供し、前記複数の参照画面から選択された参照画面のレイアウト情報に基づいて、前記第１の病院情報システムにおける表示レイアウトを変更する情報提供部と、
を備えたことを特徴とする病院情報システム。
【発明の詳細な説明】
【技術分野】
【０００１】
本発明の一態様としての実施形態は、医用情報サーバおよび病院情報システムに関する。
【背景技術】
【０００２】
近年、電子カルテシステム、読影レポート作成システム、医用画像一元管理システム（ＰＡＣＳ：Picture Archiving and Communication Systems）、放射線科情報システム（ＲＩＳ：Radiology Information System）、病院情報システム（ＨＩＳ：Hospital Information System）、医療会計システム、薬剤管理システムや看護支援システムなど、医療にかかわる様々な業務が電子化、システム化されている（以下、これらの病院内で使用されるシステムを病院内システムと総称する）。これらの病院内システムは、Ｘ線ＣＴ（Computed Tomography）装置やＭＲＩ（Magnetic Resonance Imaging）装置などのモダリティ装置や、手術や診断のナビゲーションシステム、電子カルテや画像診断にかかわる様々なアプリケーションと連携している。また、病院内システムはモダリティ装置の発展や、各種アプリケーションの開発などに伴って発展してきている。このように、要求されるサービスが刻々と変化する中、モダリティ装置などのハードウェアの発展、アプリケーションの仕様変更により、現行システムの陳腐化や機能拡張・改変など、様々な理由によりシステムの再構築や移行が発生する。このようなシステムの再構築や移行に伴い、サーバなどの物理マシンの交換やアプリケーションのバージョンアップなどが発生する。
【０００３】
そこで、システムの再構築や移行などにおける情報の移行作業を軽減するため、システムで使用しているサーバの共通情報を抽出し、新しいサーバに適用する技術が提供されている（たとえば、特許文献１等）。
【０００４】
また、病院内システムは多岐にわたる機能を有することから、たとえばユーザごとにカスタマイズされた表示を提供している。これらの表示の操作状況を分析し、より操作しやすい表示を提供する医用情報装置が提供されている（たとえば、特許文献２等）。
【先行技術文献】
【特許文献】
【０００５】
【特許文献１】特開２００９−０３４３８５号公報
【特許文献２】特開２０１１−４３９６２号公報
【発明の概要】
【発明が解決しようとする課題】
【０００６】
特に医療の現場では、システムの再構築または移行において業務の停止は難しく、業務を継続しながらシステム移行する必要がある。また、２４時間体制での治療または看護が要求されるため、システムが停止することなく情報を移行できることが必要である。しかしながら、特許文献１の技術は、サーバの通信設定の移行に関するものであって、システム内部に記憶されたシステムやユーザの識別情報やシステムやユーザごとの設定情報など（以下、病院情報データと呼ぶこととする）のデータの移行に関する技術ではない。従来、システムやユーザの識別情報やシステムやユーザごとの設定情報など（病院情報データ）の大量のデータの移行作業は手作業で行われており、膨大な時間がかかる煩雑な作業であった。
【０００７】
また、医療機関等では医療情報を長期間保存する。その際、システム更新アプリケーションの改変などを経ても旧バージョンで保存された医療情報を、情報の欠落がない状態で、確実に利用できるようにしておくことが必要である。たとえば、新バージョンと旧バージョンとで表示のレイアウトが異なる場合であっても、旧バージョンのレイアウトで表示することが可能であるといった相互運用性を確保する必要がある。
【０００８】
さらに、医師等のユーザによっては、複数の病院または複数の診療科に勤務する場合がある。特許文献２に記載されているように、病院内システムで使用される表示は、病院ごと、診療科ごとまたはユーザごとに異なる。複数の病院や診療科で勤務する医師等のユーザはこのような表示のレイアウトを、使用するシステムに応じて覚えなければならず、作業負担が増加し、また不慣れなレイアウトでの作業による作業効率の低下が問題となる。
【０００９】
そこで、異なる病院内システム間で病院情報データや表示をシームレスに利用できる医用情報サーバが要望されている。
【課題を解決するための手段】
【００１０】
本実施形態に係る医用情報サーバは、複数の異なる病院の病院情報システムと、ネットワークを介して通信可能に構成された医用情報サーバであって、前記病院情報システムにある病院情報データを取得するデータ取得部と、前記病院情報システムから受信した前記病院情報データを、サーバ用のデータ形式に変換する変換部と、変換した前記病院情報データを記憶するデータベース部と、複数の異なる病院情報システムで使用されている画面レイアウト情報を記憶するレイアウト情報記憶部と、前記病院情報システムの使用者に対して、前記データベース部にある前記病院情報データを、他の病院の画面レイアウト情報を用いて配置した参照画面を提供する情報提供部と、を備えたことを特徴とする。
【図面の簡単な説明】
【００１１】
【図１】実施形態に係る医用情報サーバおよび病院情報システムの一例を示す概念的な構成図。
【図２】第１の実施形態に係る医用情報サーバの機能構成例を示す機能ブロック図。
【図３】第１の実施形態に係る医用情報サーバの動作の一例を示すフローチャート。
【図４】実施形態に係る医用情報サーバの参照画面を構成する情報の配置を説明する図。
【図５】実施形態に係る医用情報サーバの画面レイアウト情報の一例を説明する図。
【図６】実施形態に係る医用情報サーバの参照画面を説明する図。
【図７】実施形態に係る医用情報サーバの参照画面選択の表示例を説明する図。
【図８】第２の実施形態に係る医用情報サーバの機能構成例を示す機能ブロック図。
【図９】第２の実施形態に係る医用情報サーバの動作の一例を示すフローチャート。
【図１０】実施形態に係る医用情報サーバの変更前の参照画面と選択した参照画面を説明する図。
【図１１】実施形態に係る医用情報サーバの必須情報の一例を説明する図。
【図１２】実施形態に係る医用情報サーバの推奨参照画面の選択方法を説明する図。
【図１３】実施形態に係る医用情報サーバにおける差分抽出を説明する図。
【図１４】実施形態に係る医用情報サーバの差分コンテンツの追加方法の例を説明する図。
【発明を実施するための形態】
【００１２】
以下、病院情報システムおよび医用情報サーバの実施の形態について添付図面を参照して説明する。本実施形態に係る病院情報システムは、複数の病院に設置された病院内システムと病院外に設置されたデータセンタとが電子ネットワークを介して接続されたシステムのことである。また、本実施形態に係る医用情報サーバは、データセンタや病院内に設置され、データセンタや病院内のシステムや他の電子機器等と電子ネットワークを介して接続された装置である。
【００１３】
（全体構成）
図１は、実施形態に係る医用情報サーバ６００および病院情報システム１の一例を示す概念的な構成図である。図１に示すように、病院情報システム１は１つまたは複数の病院に設置された病院内システム１０と電子ネットワークＮ経由で接続されたデータセンタシステム２０とから構成される。図１の例では、病院Ａに設置された病院内システム１０ａ、病院Ｂに設置された病院内システム１０ｂ、データセンタシステム２０がそれぞれ示されている。図１のデータセンタシステム２０は病院Ａおよび病院Ｂと電子ネットワークＮを介して接続されており、１つまたは複数の医用情報サーバ６００から構成されている。医用情報サーバ６００は、通信制御装置３０、主制御部４０、記憶部５０などを備えたサーバである。データセンタシステム２０は、病院内システム１０が設置される病院とは異なる場所にある所定のデータセンタに設置されてもよいし、病院内システム１０が設置される病院に設置されてもよい。データセンタシステム２０の複数の医用情報サーバ６００は、１つの仮想サーバとして機能してもよく、病院内システム１０は物理的なサーバを意識することなく医用情報サーバ６００に接続することができる。このように病院情報システム１はクラウドシステムで構成されていてもよい。また、医用情報サーバ６００は、データセンタシステム２０に限らず、各病院に設置されていてもよい。
【００１４】
病院内システム１０は、病院内に設置された電子カルテシステム、読影レポート作成システム、ＰＡＣＳ、ＨＩＳ／ＲＩＳ、医療会計システム、薬剤管理システムや看護支援システムなど、医療にかかわる様々なシステムまたはそれらのシステムで使用される様々なアプリケーションソフトウェアから構成される。以下、医療にかかわる様々なシステムまたはそれらのシステムで使用される様々なアプリケーションプログラムを単に「システム」と呼ぶこととする。図１では、病院Ａおよび病院Ｂを構成する病院内システム１０ａおよび病院内システム１０ｂには、ＰＡＣＳ１００、ＨＩＳ／ＲＩＳ２００、モダリティ装置３００、読影レポート作成システム（装置）４００、電子カルテシステム（装置）５００がそれぞれ例示されている。病院内に設置されたこれらのシステムは電子ネットワークＮを介して相互接続している。また、ＰＡＣＳ１００、ＨＩＳ／ＲＩＳ２００、モダリティ装置３００、読影レポート作成システム（装置）４００、電子カルテシステム（装置）５００は、それぞれ通信制御装置３０、主制御部４０、記憶部５０、表示部６０、入力部７０など（図示せず）から構成されたコンピュータまたはサーバを１つ以上備えたシステムである。
【００１５】
通信制御装置３０は、ネットワークの形態に応じた種々の情報通信用プロトコルを実装する。通信制御装置３０は、この各種プロトコルに従って病院内においては、各種システムまたは電気機器同士を接続し、病院外においては病院内システム１０とデータセンタシステム２０とを接続する。この接続には、電子ネットワークＮを介した電気的な接続などを適用することができる。ここで電子ネットワークＮとは、電気通信技術を利用した情報通信網全般を意味し、病院基幹ＬＡＮなどの無線／有線ＬＡＮやインターネット網のほか、電話通信回線網、光ファイバ通信ネットワーク、ケーブル通信ネットワークおよび衛星通信ネットワークなどを含む。
【００１６】
記憶部５０は、磁気的もしくは光学的記録媒体または半導体メモリなどの、主制御部４０のＣＰＵにより読み取り可能な記録媒体を含んだ構成を有する。記憶部５０は、病院情報データや画面レイアウト情報を記憶するほか、主制御部４０のＣＰＵで実行する各種機能を実現するためのプログラムを記憶する。
【００１７】
表示部６０は、たとえば液晶ディスプレイやＯＬＥＤ（Organic Light Emitting Diode）ディスプレイなどの一般的な表示出力装置により構成され、主制御部４０の制御に従って病院内のシステムの各種表示を表示する。
【００１８】
入力部７０は、たとえばキーボード、タッチパネル、テンキー、マウスなどの一般的な入力装置により構成され、ユーザの操作に対応した操作入力信号を主制御部４０に出力する。
【００１９】
以下の説明では病院情報システムの情報をユーザ等が参照するために表示する画面を参照画面と呼ぶこととする。本実施形態に係る病院情報システムおよび医用情報サーバについて、病院情報データおよび参照画面の蓄積と利用を行う医用情報サーバおよび病院情報システムを「第１の実施形態」とし、第１の実施形態に加えて、参照画面が変更されても病院またはシステムで必須の情報が非表示とならないようにする医用情報サーバおよび病院情報システムを「第２の実施形態」として説明する。
【００２０】
（第１の実施形態）
第１の実施形態に係る医用情報サーバは病院情報データおよび参照画面の蓄積と利用方法に関する。
【００２１】
（１）構成
図２は、第１の実施形態に係る医用情報サーバ６００の機能構成例を示す機能ブロック図である。図２に示すように病院情報システム１のデータセンタシステム２０内に設置された病院情報サーバ６００は、データ取得部４１、変換部４３、情報提供部４５、レイアウト情報記憶部５１、データベース部５２を有する。このうち、データ取得部４１、変換部４３、情報提供部４５は、主制御部４０のＣＰＵにより記憶部５０に格納されたプログラムが実行されることによって実現される機能構成である。
【００２２】
データ取得部４１は、病院情報システムにある病院情報データを取得する。データ取得部４１は、各病院（図２では病院Ａと病院Ｂ）の病院内システム１０に設置された１つまたは複数のシステムの病院情報データを取得する。病院情報データは、システムを識別するために必要な情報、およびそのシステムを使用するユーザに関する情報のことである。たとえば、病院情報データには、当該システムが設置される病院の施設名、病院における診療科名、病院内で使用されるシステム名（病院内で使用されるアプリケーションソフトウェアの名称も含む）、およびシステムを使用するユーザ名が含まれる。病院の施設名、病院における診療科名、病院内で使用されるシステム名、ユーザ名は、それらを一意に特定するＩＤであってもよい。また、システムについてはバージョンごとに異なる名称やＩＤが付与されていてもよい。また、病院情報データには、マスタデータ、回復やバックアップ設定、更新頻度設定などの様々な病院内システムで蓄積されるデータが含まれてもよい。
【００２３】
変換部４３は、病院情報システムから受信した病院情報データを、サーバ用のデータ形式に変換する。病院情報データのデータベースに登録可能な形式への変換は一般的な方法によって行われる。たとえば、変換部４３は情報変換用のコンバータプログラムを記憶しておき、主制御部４０のＣＰＵが変換部４３に記憶されているコンバータプログラムを実行することによって変換してもよいし、各病院内システム１０で変換した病院情報データを取得してもよい。
【００２４】
データベース部５２は、変換した病院情報データを記憶する。データ取得部４１で取得された各病院内システム１０の病院情報データは、変換部４３により医用情報サーバ６００のデータベース部５２に登録可能な形式に変換されて記憶される。この際、たとえば、ＸＭＬ形式で記憶されていてもよいし、テーブル形式で記憶されていてもよい。なお、各病院内システム１０の病院情報データは、データセンタシステム２０と重複して各病院内システム１０の記憶部５０にそれぞれ記憶されていてもよい。
【００２５】
レイアウト記憶部５１は、複数の異なる病院情報システムで使用されている画面レイアウト情報を記憶する。画面レイアウト情報は、病院情報システムで使用されている参照画面を構成する情報の種類および病院情報システムで使用されている参照画面を構成する情報の配置を規定する情報である。参照画面を構成する情報（以下、コンテンツと呼ぶ）の種類には、入力欄、表示欄、画像および定型文などが含まれる。参照画面を構成する情報（コンテンツ）の種類や参照画面を構成する情報（コンテンツ）の配置については後述する。参照画面は、各病院や各診療科、各システム、またはシステムを使用する医師等のユーザごとにそれぞれ設定される。たとえば、病院が異なれば、同一のシステムであっても参照画面は異なる。たとえば、読影レポート作成システム４００はマルチディスプレイで構成されており、読影レポートを作成するディスプレイと読影レポートの作成対象である医用画像を表示するディスプレイとが並べて配置される。病院ごとにこれらのディスプレイの配置が（たとえば左右が）異なる場合がある。このようなディスプレイの配置に合わせて所見入力欄やキー画像表示欄などの画面レイアウトが設定される。また、読影を行う医師等ユーザの利き手や好みなどによって、ユーザごとに細かく設定されている。さらに、病院内においてシステムやアプリケーションの変更が行われると、表示がそれに伴って変更される。このような参照画面の設定は、読影レポート作成システム４００に限らず、電子カルテシステム５００やＨＩＳ／ＲＩＳ２００等の参照画面においても同様である。したがって、レイアウト情報記憶部５１は、データ取得部４１で取得された病院情報データである、病院の施設名、病院における診療科名、システム名、およびシステムを使用するユーザ名のうちいずれかに基づいてレイアウト情報を分類し、記憶する。レイアウト情報記憶部５１に格納される画面レイアウト情報については後述する。
【００２６】
情報提供部４５は、病院情報システムの使用者に対して、データベース部５２にある病院情報データを、他の病院の画面レイアウト情報を用いて配置した参照画面を提供する。情報提供部４５は、データベース部５２に格納されている病院情報データと、レイアウト情報記憶部５１に格納されている画面レイアウト情報とに基づいて参照画面を生成し、参照画面を要求しているシステム等の表示部６０に表示する。また、ユーザは参照画面を用いて使用しているシステムの表示を変更する。参照画面の提供については後述する。
【００２７】
（２）動作
図３は、第１の実施形態に係る医用情報サーバ６００の動作の一例を示すフローチャートである。図３では、病院Ａと病院Ｂに勤務する医師等のユーザが、病院Ｂに設置された読影レポート作成システム４００の参照画面を、病院Ａの読影レポート作成システム４００の参照画面で表示する場合を例として動作を説明する。
【００２８】
まず、病院Ａの病院内システム１０ａの病院情報データと参照画面が医用情報サーバ６００に蓄積される動作について説明する（ＳＴ１０１からＳＴ１０３）。
【００２９】
ＳＴ１０１では、データ取得部４１が病院Ａの病院内システム１０ａから病院情報データを取得する。すでに医用情報サーバ６００に病院Ａの病院情報データが記憶されている場合はこの処理は省略できる。なお、データ取得部４１は、病院情報データを定期的に収集してもよいし、ユーザにより指定されたタイミング（たとえば、バージョンアップなどのタイミング）で収集してもよい。
【００３０】
ＳＴ１０３では、病院Ａの病院内システムで使用されている参照画面の画面レイアウト情報がレイアウト情報記憶部５１に格納される。すでにレイアウト情報記憶部５１に病院Ａのレイアウト情報が記憶されている場合はこの処理は省略できる。また、病院情報データと同様に画面レイアウト情報も定期的に収集してもよいし、ユーザにより指定されたタイミング（たとえば、バージョンアップなどのタイミング）で収集してもよい。
【００３１】
画面レイアウト情報は、参照画面を画面のキャプチャなどの画像として取得してもよい。画面のキャプチャとは、表示部６０上に表示された参照画面を写した画像であって、ある瞬間における参照画面の表示状態をそのまま複製したものである。画面のキャプチャは、参照画面の全体であってもよいし、一部であってもよい。また、画面レイアウト情報は、システムやアプリケーションのプログラムデータやプログラムで生成された参照画面用のデータ（たとえば、ＷｅｂアプリケーションにおいてＨＴＴＰレスポンスに格納されたＨＴＭＬデータやＣＳＳデータなど）を取得してもよい。レイアウト情報記憶部５１は、すでに同じ参照画面の画面レイアウト情報が存在する場合は対応する画面レイアウト情報を更新する。画面レイアウト情報は、取得した画面キャプチャの画像やＨＴＭＬデータなどのデータを解析することによって抽出される。たとえば、画面キャプチャからは画像のパターン認識や光学文字認識（ＯＣＲ：optical character recognition）など一般的な画像解析技術を用いて画面レイアウト情報が抽出される。なお、画面キャプチャに画面レイアウト情報をあらかじめ画像のメタ情報として付帯させてもよい。また、ＨＴＭＬデータの場合はタグを解析することで画面レイアウト情報を抽出する。
【００３２】
画面レイアウト情報は、病院情報データとして取得された病院の施設名やシステム、アプリケーションなどの情報により分類して生成される。画面レイアウト情報には、参照画面を構成する情報（コンテンツ）の種類および参照画面を構成する情報（コンテンツ）の配置が含まれる。参照画面を構成する情報（コンテンツ）とは、画面に表示される入力欄、表示欄、ボタン、画像などのことである。たとえば、読影レポート作成システム４００の参照画面には、読影レポートを作成する画面において、所見入力欄、定型文選択ボタン、キー画像表示欄、検査目的や検査内容が表示される検査目的表示欄、患者の氏名、性別または年齢などが表示される患者情報表示欄などが表示される。定型文選択ボタンは、所見入力によく使用される定型文を選択するボタンやプルダウンメニューなどのグラフィカルユーザインタフェース（ＧＵＩ：graphical user interface）のことである。定型文選択ボタンを押下すると、病院情報データに登録された定型文が一覧で表示される。また、電子カルテシステム５００の参照画面には、電子カルテを作成する画面において、患者情報入力（あるいは表示）欄、患者の問診内容入力欄、検査結果入力欄、薬剤処方入力欄、既往歴や治療履歴などが表示される履歴欄、病名や薬剤などに関する定型文選択ボタンなどが表示される。画面レイアウト情報には、これらのコンテンツの種類に加えて、コンテンツの配置が含まれる。
【００３３】
図４は、実施形態に係る病院情報システム１の参照画面を構成する情報の配置を説明する図である。図４は、コンテンツの左上と右下の座標でコンテンツの配置を規定する情報を示す例を説明している。図４には表示部６０が示されており、その左上にはＸ軸とＹ軸を示す矢印が示されている。図４では、表示部６０の左右方向をＸ軸、上下方向をＹ軸とする例が示されている。表示部６０にはコンテンツとして「コンテンツ１」が示されており、画面レイアウト情報はコンテンツ１の左上と右下に示した矢印の座標を配置情報として抽出される。図４の例では左上は（Ｘａ１、Ｙａ１）、右下は（Ｘｂ１、Ｙｂ１）で示される。左上と右下の２つの座標を取得することで、コンテンツ１の画面上の表示位置と、コンテンツ１の高さおよび幅を一意に特定することができる。
【００３４】
なお、図４では、左上と右下の座標を取得する例を示したが、左下と右上であってもよい。また、コンテンツ１の右上や中心座標など特定の座標と、コンテンツ１の高さおよび幅を配置情報として抽出してもよい。また、幅や高さはピクセル値であってもよいし、表示部６０の画面の大きさに基づく比率などであってもよい。さらに、参照画面を構成する情報が複数存在する場合、基準となるコンテンツを特定し、そこからの距離や比率、間隔などを配置情報としてもよい。
【００３５】
図５は、実施形態に係る病院情報システム１の画面レイアウト情報の一例を説明する図である。図５は病院Ａの読影レポート作成システム４００の参照画面のユーザごとに設定された参照画面の画面レイアウト情報の一例を示している。図５のレイアウト情報には左から、「ユーザ名」、「コンテンツ１（検査目的表示欄）」、「コンテンツ２（所見入力欄）」、「コンテンツ３（キー画像表示欄）」が示されている。１段目は「ユーザ名」が基準設定、「コンテンツ１（検査目的表示欄）」左上（Ｘ１ａ、Ｙ１ａ）、右下（Ｘ１ｂ、Ｙ１ｂ）、「コンテンツ２（所見入力欄）」左上（Ｘ２ａ、Ｙ２ａ）、右下（Ｘ２ｂ、Ｙ２ｂ）、「コンテンツ３（キー画像表示欄）」左上（Ｘ３ａ、Ｙ３ａ）、右下（Ｘ３ｂ、Ｙ３ｂ）が示されている。基準設定は、病院Ａまたは、読影レポート作成システム４００であらかじめ準備された設定値のことである。２段目は「ユーザ名」が医師１、「コンテンツ１（検査目的表示欄）」左上（Ｘ２ａ、Ｙ２ａ）、右下（Ｘ２ｂ、Ｙ２ｂ）、「コンテンツ２（所見入力欄）」左上（Ｘ３ａ、Ｙ３ａ）、右下（Ｘ３ｂ、Ｙ３ｂ）、「コンテンツ３（キー画像表示欄）」左上（Ｘ１ａ、Ｙ１ａ）、右下（Ｘ１ｂ、Ｙ１ｂ）、３段目は「ユーザ名」が医師２、「コンテンツ１（検査目的表示欄）」左上（Ｘ３ａ、Ｙ３ａ）、右下（Ｘ３ｂ、Ｙ３ｂ）、「コンテンツ２（所見入力欄）」左上（Ｘ１ａ、Ｙ１ａ）、右下（Ｘ１ｂ、Ｙ１ｂ）、「コンテンツ３（キー画像表示欄）」左上（Ｘ２ａ、Ｙ２ａ）、右下（Ｘ２ｂ、Ｙ２ｂ）、同様に、４段目は「ユーザ名」が医師３、「コンテンツ１（検査目的表示欄）」左上（Ｘ４ａ、Ｙ４ａ）、右下（Ｘ４ｂ、Ｙ４ｂ）、「コンテンツ２（所見入力欄）」左上（基準設定）、右下（基準設定）、「コンテンツ３（キー画像表示欄）」左上（Ｘ１ａ、Ｙ１ａ）、右下（Ｘ１ｂ、Ｙ１ｂ）が示されている。
【００３６】
図５では、画面レイアウト情報が病院Ａの読影レポート作成システム４００のユーザごとに作成された例を示したが、病院Ａごと、読影レポート作成システム４００ごとに作成されてもよい。また、診療科ごとまたはその他の病院情報データごとに作成されてもよい。さらに施設名、診療科名、システムのバージョン、ユーザ名など様々な情報と組み合わせて作成されてもよい。たとえば、病院Ａは診療科ＡにシステムＡが設置され、病院Ｂは診療科ＢにシステムＡが設置されている場合に、システムや診療科ごとにコンテンツの種類およびコンテンツの配置などの画面レイアウト情報を保持してもよい。また、医師等ユーザごとに使用するシステム、アプリケーションにおける参照画面の画面レイアウト情報を保持していてもよい。
【００３７】
上述のように、病院Ａの画面レイアウト情報がレイアウト情報記憶部５１に記憶される（ＳＴ１０３）。
【００３８】
図３のフローチャートに戻って、蓄積したレイアウト情報を利用して参照画面を生成する動作を説明する。
【００３９】
ＳＴ１０５では、データ取得部４１が病院Ｂの病院内システム１０ａから病院情報データを取得する。たとえば、病院Ａおよび病院Ｂの両方に勤務する医師等のユーザ（以下、医師１とする）が、病院Ｂの読影レポート作成システム４００を使用する場合、病院Ｂにおいても病院Ａと同じ画面で読影レポートを作成することが望まれる。たとえば、医師１が、病院Ｂの読影レポート作成システム４００にログインしたとき、医師１が病院Ｂの読影レポート作成システム４００にログインしたという情報が入力部７０等を介してデータ取得部４１で取得される。
【００４０】
ＳＴ１０７では、情報提供部４５が、病院Ｂから取得した病院情報データに対応する病院Ａの病院情報データに基づいて、レイアウト情報記憶部５１に格納された病院Ａの参照画面の画面レイアウト情報を取得する。上述の医師１が病院Ｂの読影レポートシステムを使用する例では、医師１が病院Ｂで読影レポートシステムにログインしたという病院情報データ（たとえばユーザ識別情報）を情報提供部４５が取得する。情報提供部４５は、医師１が病院Ａの読影レポート作成システムで使用している参照画面と同じ参照画面を生成するための画面レイアウト情報を、レイアウト情報記憶部５１から取得する。なお、情報提供部４５でのレイアウト情報の取得は、上述のように医師１がログインしたタイミングであってもよいし、医師１が画面レイアウト情報の取得を実行した場合であってもよい。
【００４１】
情報提供部４５は、取得した画面レイアウト情報に基づいて、参照画面を生成する。参照画面に表示される内容（それぞれのコンテンツ内の表示内容、たとえば、定型文の一覧や患者情報など）は、医用情報サーバ６００のデータベース部５１に蓄積された病院Ｂの病院情報データを利用して生成されてもよいし、病院ＢのＰＡＣＳ１００、ＨＩＳ／ＲＩＳ２００や読影レポート作成システムなどに記憶された情報を利用して生成されてもよい。情報提供部４５では、画面レイアウト情報に基づいてコンテンツをどの位置に表示するかを決定し、参照画面を生成する。
【００４２】
ＳＴ１０９では、生成された参照画面が病院Ｂの読影レポート作成システム４００の表示部６０に表示される。
【００４３】
図６は、実施形態に係る病院情報システム１の参照画面を説明する図である。
【００４４】
図６（ａ）は病院Ａの読影レポート作成システム４００で表示される医師１の参照画面の例を示している。図６（ｂ）は病院Ｂの読影レポート作成システム４００で表示される標準の参照画面の例を示している。図６が示すように、異なる病院では同じシステムであっても参照画面の画面レイアウトが異なる。図６（ａ）に示した病院Ａの医師１の参照画面ではコンテンツ１、コンテンツ２、コンテンツ３がそれぞれ表示されているのに対し、図６（ｂ）に示した病院Ｂの標準設定では、コンテンツ２、コンテンツ３のみ表示されている。病院Ｂの読影レポート作成システム４００において医師１が病院Ａで使用している参照画面と同じ画面レイアウトで表示しようとすると、情報提供部４５は、医師１の読影レポート作成システム４００における画面レイアウト情報をレイアウト情報記憶部５１から取得する。たとえば、図５に示した画面レイアウト情報がレイアウト情報記憶部５１に格納されていた場合、２段目に示された「ユーザ名」が医師１に対応するレイアウト情報として、「コンテンツ１（検査目的表示欄）」左上（Ｘ２ａ、Ｙ２ａ）、右下（Ｘ２ｂ、Ｙ２ｂ）、「コンテンツ２（所見入力欄）」左上（Ｘ３ａ、Ｙ３ａ）、右下（Ｘ３ｂ、Ｙ３ｂ）、「コンテンツ３（キー画像表示欄）」左上（Ｘ１ａ、Ｙ１ａ）、右下（Ｘ１ｂ、Ｙ１ｂ）が取得される。取得した画面レイアウト情報に基づいて情報提供部４５は病院Ｂの読影レポート作成システム４００の表示部６０に表示する参照画面を生成する。
【００４５】
このように、画面レイアウト情報を病院ごとシステムごと、あるいはユーザごとにデータセンタシステム２０の医用情報サーバ６００に記憶しておくことで、医師等のユーザはあらゆる病院やシステムで共通の参照画面を利用することができる。したがって、病院あるいはシステムが変更した場合であっても、容易に設定を引き継ぐことができる。また、複数の病院で勤務する医師等の場合、同じ参照画面で作業でき、作業効率を均一にすることができる。さらに、複数の病院のうち１箇所で変更した設定を、他の病院にも容易に反映させることができる。また、病院に専用のシステム（特に、専用のアプリケーション）がない場合でもレイアウトを再現することができ、病院情報システムが異なることによる障壁を感じることなく作業を行うことが可能となる。さらに、システムのバージョンが変更になった場合でも、旧バージョン、新バージョンで情報を確認することができ、バージョンの異なるシステムで作成した読影レポートや電子カルテを両方の形式で確認することが可能である。
【００４６】
また、データ取得部４１は、病院内システムに蓄積された様々なデータを取得することができ、データベース部５２に記憶することができる。このように蓄積された病院情報データを用いることで、たとえば、旧システムに蓄積された定型文などのデータを新システムに容易に移行することができる。病院情報データはデータセンタシステム２０のデータベース部５２に登録可能な形式に変換されて記憶されており、新システムに合わせた形式に再変換することでデータ移行が可能である。
【００４７】
上述では複数のシステムを利用するユーザに対して共通の参照画面を提供する例を示したが、実施形態はそれに限らない。本実施形態に係る病院情報システム１は、ユーザは医用情報サーバ６００のレイアウト情報記憶部５１に格納された画面レイアウト情報から、所望の画面レイアウトを選択し、選択した画面レイアウト情報に応じて参照画面をカスタマイズすることもできる。従来は、他の病院における参照画面は患者の情報などの個人情報が記載されているため、院外に持ち出すことは困難であった。しかしながら、本実施形態に係る医用情報サーバ６００のレイアウト情報記憶部５１は、参照画面を構成する入力欄や表示欄のコンテンツの種類や配置を規定する情報のみを画面レイアウト情報として記憶しており、入力欄や表示欄などのコンテンツに実際に表示される情報を非表示の状態で参照画面を生成することができる。このように生成された参照画面を利用して、既存の参照画面から適当な参照画面に変更することができる。
【００４８】
図７は、実施形態に係る医用情報サーバ６００の参照画面選択の表示例を説明する図である。図７には参照画面選択画面Ｗ１に複数の参照画面（参照画面１から５）が示されている。参照画面選択画面Ｗ１に示される参照画面には入力欄や表示欄を示す領域のみが表示されていてもよいし、サンプルデータが表示されていてもよい。参照画面２と参照画面４のように、コンテンツの配置が左右で異なる参照画面や、参照画面１と参照画面２のようにコンテンツの種類が異なる参照画面がそれぞれ表示され、表示された参照画面サンプルの中からユーザは所望の参照画面を選択することで、そのレイアウト情報を使用することができてもよい。なお、参照画面サンプルは画像ファイルやＰＤＦファイルとしてレイアウト情報記憶部５１にあらかじめ記憶されていてもよいし、必要に応じて生成されてもよい。
【００４９】
図７では、レイアウト情報記憶部５１に記憶された画面レイアウト情報から参照画面サンプルを一覧で表示する例を示したが、画面レイアウト情報をキーワードなどで検索できてもよい。たとえば、システムやアプリケーションの種類を入力することで、同一のシステムやアプリケーションで使用されている参照画面のサンプルが一覧で表示されてもよいし、表示する入力欄や表示欄などのコンテンツの種類に応じて画面レイアウト情報を検索できてもよい。
【００５０】
このように画面レイアウト情報に基づいて様々に生成される参照画面を選択できることで、より簡単に参照画面のレイアウト変更を行うことができる。また、実際に他の病院等で使用実績のある参照画面が画面レイアウト情報として蓄積されていることから、実用性の高い参照画面を選択することができる。
【００５１】
（第２の実施形態）
第２の実施形態は、第１の実施形態に加えて、参照画面のレイアウトが変更されても病院情報システムまたはアプリケーションで必須の情報が非表示とならないようにする方法に関する。たとえば、病院ごとのシステム等の運用において、必ず表示しなければならない情報や、確認すべき情報などが個別に存在する。レイアウトを変更すると内部的にはデータを保持していていも参照画面から欠落してしまう場合がある。また、必須情報の入力欄が参照画面になければ情報を入力できず、必須情報を記憶できない可能性もある。第２の実施形態はレイアウト変更により必須情報が欠落していないか判定し、ユーザにその旨を通知することができる医用情報サーバ６００に関する。
【００５２】
（１）構成
図８は、第２の実施形態に係る医用情報サーバ６００の機能構成例を示す機能ブロック図である。なお、図２に示した第１の実施形態と同一の構成には同一の記号を付し、説明を省略する。
【００５３】
図８に示すように、病院情報システム１のデータセンタシステム２０内に設置された病院情報サーバ６００は図２の構成に加えて、差分抽出部４６、判定部４７、推奨参照画面提示部４８、メッセージ生成部４９を有する。差分抽出部４６、判定部４７、推奨参照画面提示部４８、メッセージ生成部４９は、主制御部４０のＣＰＵにより記憶部５０に格納されたプログラムが実行されることによって実現される機能構成である。
【００５４】
差分抽出部４６は、病院情報システム１に表示された参照画面と、複数の参照画面の中から選択された参照画面との差を抽出する。差分抽出部４６での参照画面の差の抽出方法については後述する。
【００５５】
判定部４７は、複数の異なる病院の病院情報システムのうちいずれかのシステムにおいて参照画面の画面レイアウトを変更する際に、変更対象の病院情報システムの参照画面を構成する画面レイアウト情報に必須情報が含まれるか否かを判定する。判定部４７での判定方法については後述する。
【００５６】
推奨参照画面提示部４８は、変更対象のシステムにおいて参照画面を変更する際に選択された参照画面に、必須情報を加えた推奨参照画面を生成し、提示する。推奨参照画面提示部４８の動作については後述する。
【００５７】
メッセージ生成部４９は、判定部４７の判定に応じてメッセージを生成する。メッセージ生成部４９で生成されるメッセージについては後述する。
【００５８】
（２）動作
図９は、第２の実施形態に係る医用情報サーバ６００の動作の一例を示すフローチャートである。図９では、病院Ａの電子カルテシステム５００の参照画面を変更する動作を例にとって説明する。
【００５９】
ＳＴ２０１では、ユーザにより病院Ａの電子カルテシステム５００の参照画面の変更が開始される。参照画面の変更は、たとえば参照画面変更ボタンなどを押下することによって開始される。以下、ユーザにより変更が開始された参照画面を変更前の参照画面と呼ぶこととする。
【００６０】
ＳＴ２０３では、ユーザが変更したい参照画面を選択する。以下、ユーザが変更したい参照画面を変更先の参照画面と呼ぶこととする。変更先の参照画面の選択は、たとえば、図７に例示した参照画面選択画面Ｗ１を利用して行われてもよい。また、ユーザが入力部７０からコンテンツの種類（たとえば入力欄や表示欄の種類など）を入力することによって、レイアウト情報記憶部５１から自動的に選択されてもよいし、変更前の参照画面に対応する画面レイアウト情報に基づいて共通の画面レイアウト情報を有する変更先の参照画面が選択されてもよい。
【００６１】
ＳＴ２０５では、判定部４７が変更前の参照画面が必須情報を含むか否かを判定する。必須情報は、病院ごと、システムごとあるいはユーザごとに設定されている。必須情報はレイアウト情報記憶部５１に記憶されている。必須情報は画面レイアウト情報の一部として関連付けされて記憶されていてもよいし、画面レイアウト情報と独立して記憶されていてもよい。判定部４７での判定の結果、選択した変更先の参照画面が変更前の参照画面の必須情報を含まない場合（ＳＴ２０５  Ｎｏ）はＳＴ２０７でメッセージが生成される。判定部４７での判定の結果、選択した変更先の参照画面が変更前の参照画面の必須情報を含む場合（ＳＴ２０５  Ｙｅｓ）はＳＴ２１３の処理が実行される。
【００６２】
以下、選択した変更先の参照画面が変更前の参照画面の必須情報を含まない場合（ＳＴ２０５  Ｎｏ）について説明する。
【００６３】
図１０は、実施形態に係る医用情報サーバ６００の変更前の参照画面と選択した変更先の参照画面を説明する図である。図１０（ａ）は、病院Ａの電子カルテシステム５００の変更前の参照画面の例を示しており、図１０（ｂ）は選択した変更先の参照画面の例を示している。図１０（ａ）に示すように、変更前の参照画面はコンテンツ１、コンテンツ２、コンテンツ３で構成されている。また図１０（ｂ）に示すように、選択された変更先の参照画面はコンテンツ２、コンテンツ３、コンテンツ４で構成されている。
【００６４】
図１１は、実施形態に係る医用情報サーバ６００の必須情報の一例を説明する図である。図１１の必須情報は、病院Ａの電子カルテシステム５００における必須情報を例示している。図１１の表は、左から「施設名」、「コンテンツ」、「必須／任意」が示されている。１段目から４段目は「施設名」が病院Ａであり、「コンテンツ」としてコンテンツ１、コンテンツ２、コンテンツ３、コンテンツ４がそれぞれ示されている。そのうち、コンテンツ１、コンテンツ３、コンテンツ４が必須であることが示されている。
【００６５】
たとえば、病院Ａの電子カルテシステム５００の参照画面を変更する場合、コンテンツ１、コンテンツ３、コンテンツ４が必須情報として登録されている。しかしながら、図１０（ｂ）に示した選択した変更先の参照画面は「コンテンツ１」が非表示の参照画面である。したがって、判定部４７は、選択した変更先の参照画面は、病院Ａの電子カルテシステム５００の変更前の参照画面において必須情報であるコンテンツ１を含まないと判断する。
【００６６】
図９のフローチャートに戻って説明する。判定部４７での判定の結果、選択した変更先の参照画面が必須情報を含まない場合（ＳＴ２０５  Ｎｏ）の動作について引き続き説明する。
【００６７】
ＳＴ２０７では、メッセージ生成部４９が判定部４７での判定結果に応じてメッセージを生成する。メッセージ生成部４９は、たとえば、選択した変更先の参照画面が必須情報を含まない旨のメッセージを生成する。このようなメッセージを変更先の参照画面を選択した後に、画面上、ダイアログメッセージまたはポップアップ画面等に表示し、必須情報が欠落する可能性のある参照画面を選択していることをユーザに通知する。また欠落する必須情報をメッセージとして通知してもよい。なお、生成されるメッセージは文言に限らず、○や×などの記号や表などであってもよく、これらを組み合わせて生成されてもよい。
【００６８】
本実施形態に係る医用情報サーバ６００では、このようなメッセージにより参照画面を再度選択するようにユーザに案内するほか、選択した変更先の参照画面に必須情報を組み合わせた推奨参照画面の提示を行い、ユーザは提示された推奨参照画面から参照画面を選択することで、必須情報を持ち、かつ所望の参照画面を選択することができる。
【００６９】
以下、図９のフローチャートに戻って推奨参照画面の提示による参照画面の変更について説明する。
【００７０】
ＳＴ２０９では、推奨参照画面提示部４８が推奨参照画面を生成し、表示部６０に表示する。推奨参照画面は、選択された参照画面と必須情報とに基づいて生成される。推奨参照画面は、レイアウト情報記憶部５１に格納されたレイアウト情報を検索した結果が表示されてもよいし、推奨参照画面提示部４８が選択された参照画面に必須情報を加えた参照画面が新たに生成されてもよい。
【００７１】
ＳＴ２１１では、ユーザが提示された推奨参照画面の中から１つの推奨参照画面を選択する。
【００７２】
ＳＴ２１３では、選択された推奨参照画面のレイアウト情報に基づいて、情報提供部４５が参照画面を生成する。
【００７３】
ＳＴ２１５では、生成された参照画面が表示部６０に表示される。
【００７４】
図１２は、実施形態に係る医用情報サーバ６００の推奨参照画面の選択方法を説明する図である。図１２の推奨参照画面選択Ｗ２には推奨参照画面１から５が示されている。すべての推奨参照画面は、図１０（ｂ）で選択された参照画面に含まれるコンテンツ２、コンテンツ３、コンテンツ４に加えて、病院Ａで必須とされるコンテンツ１が表示されている。ユーザは推奨参照画面提示部４８により提示された推奨参照画面の中から参照画面を選択することで、必須情報を備え、かつ、選択した参照画面のレイアウトを備えた参照画面を選択することができる。
【００７５】
このように、第２の実施形態では、病院やシステムあるいはユーザごとに表示しなければならない必須情報に基づいて推奨参照画面を提案することで、必須情報の欠落を防止しつつ、参照画面を所望のレイアウトに変更することを可能とする。
【００７６】
上述では、必須情報に基づいてメッセージや推奨参照画面を提示する例を説明したが、実施形態は上述に限らず、差分抽出部４６で抽出した差分情報をユーザに提示してもよい。また、差分情報に基づいて推奨参照画面を生成してもよい。差分抽出部４６は、ユーザが参照画面を選択した後に、変更前の参照画面と選択された参照画面との差を抽出する。
【００７７】
図１３は、実施形態に係る医用情報サーバ６００における差分抽出を説明する図である。図１３の例は、図１０（ａ）の変更前の参照画面と図１０（ｂ）の選択した参照画面とのコンテンツの種類の差を表で示している。図１３に示すように、変更前の参照画面と選択した参照画面とでは、１段目のコンテンツ１について、変更前の参照画面では「有り」であるのに対して選択した参照画面では「無し」となっている（差分１）。また、４段目のコンテンツ４について、変更前の参照画面では「無し」であるのに対して選択した参照画面では「有り」となっている（差分２）。コンテンツ２およびコンテンツ３は変更前の参照画面と選択した参照画面とで共通のコンテンツとなっている。
【００７８】
このように、差分抽出部４６は変更前と選択した参照画面のレイアウト情報を比較し、それぞれのコンテンツの種類の差を抽出する。なお、コンテンツの種類だけではなく、配置の差を抽出してもよい。
【００７９】
たとえば、参照画面の変更が実行される前に、メッセージ生成部４９がどのコンテンツが変更されるのか、またどのコンテンツの配置が変更となるのかといった差分情報をユーザに提示してもよい。また、差分に関するコンテンツのレイアウト情報を検索し、共通部分のコンテンツに組み合わせた推奨参照画面を生成してもよい。また、変更前の参照画面とユーザが選択した参照画面の共通部分のコンテンツのみを表示した参照画面を基に、ユーザが差分のコンテンツを自由に配置できてもよい。
【００８０】
図１４は、実施形態に係る医用情報サーバ６００の差分コンテンツの追加方法の例を説明する図である。図１４は、入力部７０を構成するマウスなどによりドラックアンドドロップすることにより差分コンテンツを所望の場所に配置する例を示している。図１４左側には変更前の参照画面とユーザが選択した参照画面の共通部分のみを表示した参照画面Ｗ３が示されている。差分コンテンツＷ４には、図１３に示した差分１と差分２に対応するコンテンツ１および４が表示されている。ユーザは差分コンテンツＷ４に表示されたコンテンツ１または４を選択し、参照画面Ｗ３の所望の位置にドラックアンドドロップなどの操作により移動させることで、参照画面を変更できてもよい。
【００８１】
なお、それぞれのコンテンツの大きさなども入力部７０を構成するマウスなどによりドラックアンドドロップにより変更できてもよい。また、幅や高さなど数値の入力により大きさを変更できてもよい。また、各コンテンツの位置もマウスなどによりドラックアンドドロップにより変更できてもよい。なお、表示部６０がタッチパネル式の画面である場合は、タッチ操作によって各コンテンツの大きさや位置を変更できてもよい。
【００８２】
このように、差分情報として抽出されたコンテンツを自由に配置できることで、既存のレイアウト情報を利用しつつ、ユーザの好みに合わせたカスタマイズを容易に行うことができる。
【００８３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１  病院情報システム
１０  病院内システム
２０  データセンタシステム
３０  通信制御装置
４０  主制御部
５０  記憶部
６０  表示部
７０  入力部
４１  データ取得部
４３  変換部
４５  情報提供部
４６  差分抽出部
４７  判定部
４８  推奨参照画面提示部
４９  メッセージ生成部
５１  レイアウト情報記憶部
５２  データベース部
１００  ＰＡＣＳ
２００  ＨＩＳ／ＲＩＳ
３００  モダリティ装置
４００  読影レポート作成システム（装置）
５００  電子カルテシステム（装置）
６００  医用情報サーバ
【図１】
0006498394.tif 000002
【図２】
0006498394.tif 000003
【図３】
0006498394.tif 000004
【図４】
0006498394.tif 000005
【図５】
0006498394.tif 000006
【図６】
0006498394.tif 000007
【図７】
0006498394.tif 000008
【図８】
0006498394.tif 000009
【図９】
0006498394.tif 000010
【図１０】
0006498394.tif 000011
【図１１】
0006498394.tif 000012
【図１２】
0006498394.tif 000013
【図１３】
0006498394.tif 000014
【図１４】
0006498394.tif 000015